(57)【要約】【課題】作業効率を向上することのできる結束線結束用ビットおよびこれを備えた結束線結束具を提供する。【解決手段】ハッカービット１は、軸部１１と、ハッカービット１を回転駆動する電動ドライバに対して取り付け可能な取付部１３であって、軸部１１に設けられた取付部１３と、軸部１１の先端１１ｂから突き出し、かつ結束線を引掛けることが可能な引掛部１５とを備えている。軸部１１の延在方向に沿って先端１１ｂから取付部１３へ向かう方向Ｄ１と、引掛部１５の先端１５ａの向く方向Ｄ２とは鋭角をなしている。【選択図】図２
2012077532.tif 000002
【特許請求の範囲】
【請求項１】
軸部と、
結束線結束用ビットを回転駆動する結束線結束具本体に対して取り付け可能な取付部であって、前記軸部に設けられた取付部と、
前記軸部の突出位置から突き出し、かつ結束線を引掛けることが可能な引掛部とを備え、
前記軸部の延在方向に沿って前記突出位置から前記取付部へ向かう方向と、前記引掛部の先端の向く方向とは鋭角をなす、結束線結束用ビット。
【請求項２】
前記取付部は六角形状の断面形状を有し、かつ前記引掛部は六角形よりも少ない角数である多角形状の断面形状を有する、請求項１に記載の結束線結束用ビット。
【請求項３】
前記引掛部の先端は先細の形状を有する、請求項１または２に記載の結束線結束用ビット。
【請求項４】
結束線結束用ビットを回転駆動する結束線結束具本体に対して取り付け可能な軸部と、前記軸部の先端から折れ曲がって延在し、かつ結束線を引掛けることが可能な引掛部とを含むフック状の鋼棒よりなり、
前記軸部の延在方向に沿って前記軸部の先端から離れる方向と、前記引掛部の先端の向く方向とは鋭角をなす、結束線結束用ビット。
【請求項５】
請求項１〜４のいずれかに記載の結束線結束用ビットと、
結束線結束具本体とを備え、
前記結束線結束具本体は、前記結束線結束用ビットを固定する固定部と、前記固定部に固定された結束線結束用ビットを回転駆動する回転駆動部とを含む、結束線結束具。
【発明の詳細な説明】
【技術分野】
【０００１】
本発明は結束線結束用ビットおよびこれを備えた結束線結束具に関し、より特定的には、結束線結束用ビットを回転駆動する結束線結束具本体に対して取り付け可能な取付部を備えた結束線結束用ビットおよびこれを備えた結束線結束具に関する。
【背景技術】
【０００２】
土木工事などにおいて、コンクリートを打設し硬化するまでの間に鉄筋の位置を固定することを目的として、鉄筋を組み立てる際に鉄筋同士の交差部において、鉄筋を結束する必要がある。従来、このような場合に鉄筋を結束する際には、ハッカーと呼ばれる結束具が用いられていた。
【０００３】
図８は、従来の結束具であるハッカーを用いて鉄筋を結束する方法を説明する図である。
【０００４】
図８を参照して、ハッカーは棒状の把持部１５１と、フック部１５２とを含んでいる。フック部１５２の根元１５２ａは把持部１５１の先端１５１ａに取り付けられている。フック部１５２の軸ＡＸ２は把持部１５１の軸ＡＸ１に対して傾斜しており、フック部１５２は軸ＡＸ１を中心として回転可能となっている。フック部１５２はＬ字状の形状を有しており、その先端１５３は軸ＡＸ２に対して直角に曲がっている。
【０００５】
たとえば図８中横方向に延在する鉄筋Ａ１と、鉄筋Ａ１の上部において図８中紙面に垂直に延在する鉄筋Ａ２との結束を行う際、使用者は、ある長さの結束線ＢをＵ字型に折り曲げ、折り曲げた結束線Ｂの２本の足の部分を片手で持った状態で、鉄筋Ａ１と鉄筋Ａ２との交差部ＣＲにおいて、折り曲げた結束線Ｂの輪の部分を鉄筋Ａ１の下部に通す。次に使用者は、折り曲げた結束線Ｂの２本の足の部分を片手で持ったまま、もう一方の手でハッカーを持ち、鉄筋Ａ２の上部において、ハッカーの先端１５３を結束線Ｂの輪の部分に通す。ハッカーの先端１５３を結束線Ｂの輪の部分に通した後、使用者は、ハッカーの先端１５３を結束線Ｂの２本の足の部分に引っ掛け、この状態で把持部１５１の軸ＡＸ１を中心として矢印Ｒ２で示す方向にフック部１５２を回転させる。これにより結束線Ｂが捩られ、鉄筋同士が結束線Ｂによって締め付けられる。
【０００６】
しかしながら、上記の方法は、使用者が自らフック部１５２を回転させることにより鉄筋同士を結束するものであるため、作業能率の悪いものであった。また、フック部１５２を回転させる際に使用者は手首を回転させる必要があるため、結束作業を長時間行った場合には、手首の故障など使用者の身体に対して悪影響を与えるおそれがあった。
【０００７】
そこで、鉄筋の結束を自動で行う鉄筋結束機が従来提案されている。たとえば下記特許文献１には、結束用のワイヤを鉄筋の外側にループ状になるよう送り出した後、ループの一部を捻って結束する鉄筋結束機において、鉄筋の径を判別する判別機構の判別結果に基づいて、ワイヤの送り出し量と結束力とを制御する鉄筋結束機が開示されている。
【０００８】
また下記特許文献２には、結束線送り機構により結束線を送り出して鉄筋の周囲にループを形成し、クランプ機構により結束線の先端をクランプし、結束線送り機構を逆転駆動して結束線を引戻して鉄筋に巻回し、切断機構により結束線の他端を切断した後に、結束線捩り機構によりクランプ機構を回転駆動して結束線を捩ることにより鉄筋を結束する鉄筋結束機が開示されている。
【０００９】
また下記特許文献３には、作動レバーの動作で結束線が前方に前進し、旋回型結束線案内具に取り付けられた旋回ギアにより鉄筋を取り囲み、カッター刃により切断された結束線の両端部を結束ファンがねじり合わせる鉄筋自動結束機が開示されている。
【先行技術文献】
【特許文献】
【００１０】
【特許文献１】特開２００１―１４０４７１号公報
【特許文献２】特開２００４−１４２７８２号公報
【特許文献３】特表２００７−５２０３９５号公報
【発明の概要】
【発明が解決しようとする課題】
【００１１】
しかしながら、特許文献１〜３に記載された鉄筋結束機には、構成の大型化を招くという問題があった。たとえば特許文献１の鉄筋結束機では、ループを捩る機構の他に、ワイヤを送り出す構成や鉄筋の径を判別する構成などが必要である。特許文献２の鉄筋結束機では、結束線を捩る結束線捩り機構の他に、結束線を送り出す結束線送り機構、結束線の先端をクランプするクランプ機構、および結束線の端部を切断する切断機構などが必要である。特許文献３の鉄筋自動結束機では、結束線の両端部をねじり合わせる結束ファンの他に、結束線を前方に前進させる作動レバー、鉄筋を取り囲む旋回ギア、および結束線を切断するカッター刃などが必要である。
【００１２】
このように特許文献１〜３の技術では、結束線を捩るための構成以外にも様々な構成が必要となり、大型化を招いていた。また、鉄筋結束機の構成が大型になった結果、取扱方法が煩雑になり、ハッカーの操作に慣れた使用者などにとっては、鉄筋結束機よりもハッカーの方が作業効率が良いということさえあった。
【００１３】
本発明は、上記課題を解決するものであり、その一の目的は、作業効率を向上することのできる結束線結束用ビットおよびこれを備えた結束線結束具を提供することである。
【００１４】
本発明の他の目的は、使用者の身体への悪影響を防止することのできる結束線結束用ビットおよびこれを備えた結束線結束具を提供することである。
【００１５】
本発明のさらに他の目的は、構成の大型化を抑止することのできる結束線結束用ビットおよびこれを備えた結束線結束具を提供することである。
【課題を解決するための手段】
【００１６】
本発明の一の局面に従う結束線結束用ビットは、軸部と、結束線結束用ビットを回転駆動する結束線結束具本体に対して取り付け可能な取付部であって、軸部に設けられた取付部と、軸部の突出位置から突き出し、かつ結束線を引掛けることが可能な引掛部とを備え、軸部の延在方向に沿って突出位置から取付部へ向かう方向と、引掛部の先端の向く方向とは鋭角をなしている。
【００１７】
上記結束線結束用ビットにおいて好ましくは、取付部は六角形状の断面形状を有しており、かつ引掛部は六角形よりも少ない角数である多角形状の断面形状を有している。
【００１８】
上記結束線結束用ビットにおいて好ましくは、引掛部の先端は先細の形状を有している。
【００１９】
本発明の他の局面に従う結束線結束用ビットは、結束線結束用ビットを回転駆動する結束線結束具本体に対して取り付け可能な軸部と、軸部の先端から折れ曲がって延在し、かつ結束線を引掛けることが可能な引掛部とを含むフック状の鋼棒よりなり、軸部の延在方向に沿って軸部の先端から離れる方向と、引掛部の先端の向く方向とは鋭角をなしている。
【００２０】
本発明のさらに他の局面に従う結束線結束具は、上記のいずれかの結束線結束用ビットと、結束線結束具本体とを備え、結束線結束具本体は、結束線結束用ビットを固定する固定部と、固定部に固定された結束線結束用ビットを回転駆動する回転駆動部とを含んでいる。
【発明の効果】
【００２１】
本発明によれば、作業効率を向上することのできる結束線結束用ビットおよびこれを備えた結束線結束具を提供することができる。
【図面の簡単な説明】
【００２２】
【図１】本発明の一実施の形態におけるハッカービットの構成を模式的に示す正面図である。
【図２】本発明の一実施の形態におけるハッカービットの構成を模式的に示す右側面図である。
【図３】本発明の一実施の形態におけるハッカービットの構成を模式的に示す平面図である。
【図４】電動ドライバ本体の固定部の典型的な構成を示す正面図である。
【図５】本発明の一実施の形態における結束線結束具の使用例を示す図である。
【図６】本発明の一実施の形態における他のハッカービットの使用例を示す図である。
【図７】本発明の一実施の形態におけるさらに他のハッカービットの構成を示す右側面図である。
【図８】従来の結束具であるハッカーを用いて鉄筋を結束する方法を説明する図である。
【発明を実施するための形態】
【００２３】
以下、本発明の一実施の形態について、図面に基づいて説明する。
【００２４】
図１〜図３は、本発明の一実施の形態におけるハッカービットの構成を模式的に示す図である。図１は正面図であり、図２は右側面図であり、図３は平面図である。なお図２および図３において、軸部の一部は省略記号を用いて省略されている。
【００２５】
図１〜図３を参照して、本実施の形態におけるハッカービット１（結束線結束用ビットの一例）は、結束線を結束する際に用いられる工具の刃先であり、電動ドライバ本体や電動ドリル本体などに対して回転可能に取り付けられ、かつ電動ドライバ本体や電動ドリル本体などによって回転駆動されるものである。ハッカービット１は、たとえばフック状の鋼棒よりなっており、軸部１１と、取付部１３と、引掛部１５とを備えている。軸部１１は直線状に延在しており、たとえば六角形状の断面形状を有している。軸部１１のたとえば根元１１ａには、取付部１３が設けられており、軸部の先端１１ｂには、引掛部１５が設けられている。
【００２６】
取付部１３は、たとえば六角形状の断面形状を有している。取付部１３は軸部１１の一部として見ることもできる。なお取付部１３は、相対的に径の小さい部分である凹部１３ａを含んでいてもよい。
【００２７】
引掛部１５は、たとえば軸部１１の先端１１ｂの突出位置から直線的に突き出しており、結束線を引掛けることが可能な程度の長さおよび太さを有している。軸部１１の延在方向に沿って先端１１ｂから取付部１３へ向かう方向Ｄ１と、引掛部１５の先端１５ａの向く方向Ｄ２とは鋭角をなしている。方向Ｄ１と方向Ｄ２とが鋭角をなしていることにより、ハッカービット１が回転される際に引掛部１５から結束線が外れ難くなる。特に、方向Ｄ１と方向Ｄ２とのなす角度は７０度以上８０度以下であることが好ましい。方向Ｄ１と方向Ｄ２とのなす角度が７０度以上であると、引掛部１５に結束線を引掛け易くなる。方向Ｄ１と方向Ｄ２とのなす角度が８０度以下であると、ハッカービット１が回転する際に引掛部１５から結束線が一層外れ難くなる。引掛部１５は、たとえば六角形状、四角形状、または円状などの断面形状を有している。
【００２８】
また、引掛部１５の先端１５ａは先細の形状を有していることが好ましい。言い換えれば、先端１５ａはその断面積が単調に減少していることが好ましい。このような構成を採用することにより、結束線に対して引掛部１５を引掛け易くなる。
【００２９】
図４は、電動ドライバ本体の固定部の典型的な構成を示す正面図である。
【００３０】
図４を参照して、電動ドライバ本体Ｃ（電動工具インパクトドライバ、結束線結束具本体の一例）は、ハッカービット１を回転駆動する部分であり、ハッカービット１を固定するための固定部１０１（チャック）を含んでいる。固定部１０１は、穴１０３とスリーブ１０５とを含んでいる。ハッカービット１を電動ドライバ本体Ｃに固定する場合には、ハッカービット１の取付部１３を穴１０３内に挿入した状態で、スリーブ１０５を手で回す。スリーブが回されると、穴１０３の内壁からツメ（図示無し）が穴１０３の中央部へ向かって伸張し、取付部１３の外周を押圧する。その結果、取付部１３が固定部１０１に固定され、ハッカービット１が電動ドライバ本体Ｃに対して回転可能に取り付けられる。
【００３１】
従って取付部１３は、固定部１０１によって固定可能な形状であればどのような形状であってもよい。固定部１０１は、一般的には六角形状の断面形状を有するビットを固定するように設計されているため、取付部１３は六角形状を有していることが好ましい。また、取付部１３は六角形状以外の多角形状を有していてもよい。
【００３２】
なお、取付部１３の外周が穴１０３の内壁から伸張するツメによって押圧される際に、凹部１３ａもまた穴１０３の内壁から伸張するツメによって押圧されてもよい。固定部１０１は、ハッカービット１を上記とは異なる態様で固定するものであってもよい。
【００３３】
図５は、本発明の一実施の形態における結束線結束具の使用例を示す図である。なお図５においては、説明の便宜のため、実際には外部から見えない穴１０３が点線で示されている。また、軸部の一部は省略記号を用いて省略されている。
【００３４】
図５を参照して、結束線結束具は、ハッカービット１と、電動ドライバ本体Ｃとにより構成されている。電動ドライバ本体Ｃは、使用者によって把持される部分である把持部１１１と、電動ドライバ本体Ｃに内蔵されたモータ１１５（回転駆動部の一例）と、ハッカービット１を固定する固定部１０１とを含んでいる。電動ドライバ本体Ｃとしては、従来市販されている電動ドライバの本体や電動ドリルの本体を利用することができる。
【００３５】
結束線結束具を使用して鉄筋（たとえば異形鉄筋）の結束を行う場合、使用者は予め、図４を用いて説明した方法でハッカービット１を電動ドライバ本体Ｃの固定部１０１に固定しておく。そして使用者は、図８を用いて示した方法と同様に、結束を行う鉄筋Ａ１と鉄筋Ａ２との交差部ＣＲにおいて、Ｕ字状に折り曲げた結束線Ｂの輪の部分を鉄筋Ａ１の下部に通す。次に使用者は、折り曲げた結束線Ｂの２本の足の部分を片手で持ったまま、もう一方の手で結束線結束具の把持部１１１を持ち、鉄筋Ａ２の上部において引掛部１５を結束線Ｂの輪の部分に通す。引掛部１５を結束線Ｂの輪の部分に通した後、使用者は、引掛部１５を結束線Ｂの２本の足の部分に引っ掛け、この状態でスイッチ１１３をオンする。これにより、モータ１１５が電力の供給を受け、固定部１０１に固定されたハッカービット１を、固定部１０１のツメとともに回転駆動する。これにより、ハッカービット１は回転軸ＡＸを中心として矢印Ｒ１で示す方向に回転する。その結果、回転する引掛部１５によって結束線Ｂが捩られ、鉄筋同士が結束線Ｂによって締め付けられる。
【００３６】
ここで、ハッカービット１が固定部１０１に取り付けられた状態において、ハッカービット１の軸部１１と回転軸ＡＸとは同軸になっていることが好ましい。このような構成は、たとえば固定部１０１における穴１０３の延在方向を回転軸ＡＸと一致させることにより可能となる。
【００３７】
［実施の形態の効果］
【００３８】
本実施の形態のハッカービット１は、軸部１１と、ハッカービット１を回転駆動する電動ドライバ本体Ｃに対して取り付け可能な取付部１３であって、軸部１１に設けられた取付部１３と、軸部１１の先端１１ｂから突き出し、かつ結束線を引掛けることが可能な引掛部１５とを備えている。軸部１１の延在方向に沿って先端１１ｂから取付部１３へ向かう方向Ｄ１と、引掛部１５の先端１５ａの向く方向Ｄ２とは鋭角をなしている。
【００３９】
本実施の形態のハッカービット１は、ハッカービット１を回転駆動する電動ドライバ本体Ｃに対して取り付け可能な軸部１１と、軸部１１の先端１１ｂから折れ曲がって延在し、かつ結束線を引掛けることが可能な引掛部１５とを含むフック状の鋼棒よりなっている。軸部１１の延在方向に沿って軸部１１の先端１１ｂから離れる方向Ｄ１と、引掛部１５の先端１５ａの向く方向Ｄ２とは鋭角をなしている。
【００４０】
本実施の形態のハッカービット１によれば、ハッカービット１が電動ドライバ本体Ｃの固定部１０１に取り付けられた状態で、電動ドライバ本体Ｃのモータ１１５によって回転駆動されることにより、引掛部１５に引掛けた結束線Ｂが捩られ、鉄筋同士を結束線Ｂによって締め付けることができる。これにより、使用者が自ら引掛部１５を回転させる必要がないので、作業能率を向上することができる。また、結束線を送り出す機構などを省略することが可能であるので、構成の大型化を抑制することができ、作業効率を向上することができる。さらに、引掛部１５を回転させるために使用者は手首を回転させる必要が無いため、使用者の身体への悪影響を防止することができる。
【００４１】
［その他］
【００４２】
上述の実施の形態において、引掛部は任意の断面形状とすることができる。特に、取付部が六角形状の断面形状を有している場合には、引掛部は六角形よりも少ない角数である多角形状の断面形状（たとえば三角形状や四角形状）を有していることが好ましい。
【００４３】
またハッカービットは、図１〜図３に示す構成の他、たとえば以下に示す図６や図７の構成を有していてもよい。
【００４４】
図６は、本発明の一実施の形態における他のハッカービットの使用例を示す図である。なお図６において、軸部の一部および取付部は省略記号を用いて省略されている。
【００４５】
図６に示すハッカービット１においては、軸部１１および取付部１３が六角形状の断面形状を有している一方で、引掛部１５が四角形状の断面形状を有している点において、図１〜図３に示す構成とは異なっている。これ以外の構成は、図１〜図３に示す構成と同様であるため、その説明は繰り返さない。
【００４６】
引掛部１５が四角形状の断面形状を有している場合には、結束線Ｂの輪の部分に引掛部１５を通す際に、引掛部１５の先端側の端面から見た場合に結束線Ｂと引掛部１５とが４点で接触する。その結果、引掛部が取付部と同様に六角形状の断面形状を有している場合（この場合には、結束線と引掛部とが６点で接触する）や、引掛部が円の断面形状を有している場合（この場合には、結束線と引掛部とが円の断面形状の全周で接触する）に比べて、結束線Ｂと引掛部１５との摩擦が軽減され、結束線Ｂを引掛部１５に引掛け易くなる。
【００４７】
図７は、本発明の一実施の形態におけるさらに他のハッカービットの構成を示す右側面図である。なお図７において、軸部の一部は省略記号を用いて省略されている。
【００４８】
図７に示すハッカービット１は、引掛部１５および取付部１３の形状が、図１〜図３に示す構成の形状とは異なっている。これ以外の構成は、図１〜図３に示す構成と同様であるため、その説明は繰り返さない。具体的には、引掛部１５は、軸部１１の先端１１ｂ（突出位置）から弧状に湾曲して突出している。この構成においても、軸部１１の延在方向に沿って先端１１ｂから取付部１３へ向かう方向Ｄ１と、引掛部１５の先端１５ａの向く方向Ｄ２とは鋭角をなしている。また取付部１３は、一部のみが六角形状の断面形状を有している。取付部１３の先端１３ｂは丸められており、たとえば円状の断面形状を有している。この場合には、取付部１３における六角形状の断面形状の部分が固定部１０１のツメなどによって押圧される。
【００４９】
なお、上記以外のハッカービット１の構成は、図１〜図３に示すハッカービットの構成と同様であるためその説明は繰り返さない。
【００５０】
図７に示すハッカービット１においても、図１〜図３に示すハッカービットと同様の効果を得ることができる。
【００５１】
上述の実施の形態では、引掛部が軸部の先端から折れ曲がって延在（突出）しているＬ字型のハッカービットについて示したが、引掛部は軸部の途中から突出していてもよい。また、結束線結束具によって結束される対象は鉄筋に限定されず、木材など他のものであってもよい。さらに、ハッカービットを構成する材料は任意であり、ハッカービットの一部または全部が鋼以外の材料よりなっていてもよい。
【００５２】
上述のハッカービットの各構成は適宜組み合わせることができる。たとえば、引掛部の先端が先細の形状を有している構成と、図６に示す四角形状の断面形状を有する引掛部の構成とを組み合わせることにより、頂点部分の無い四角錐状の形状を有する引掛部の構成を採用することも可能である。このような引掛部は、たとえば、六角形状の断面形状の鋼棒を準備し、引掛部となる部分を切削加工により整形し、その後で鋼棒を折り曲げ加工することにより実現可能である。
【００５３】
上述の実施の形態は、すべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００５４】
１  ハッカービット
１１  軸部
１１ａ  軸部の根元
１１ｂ  軸部の先端
１３  取付部
１３ａ  取付部の凹部
１３ｂ  取付部の先端
１５  引掛部
１５ａ  引掛部の先端
１０１  固定部
１０３  穴
１０５  スリーブ
１１１，１５１    把持部
１１３  スイッチ
１１５  モータ
１５１ａ  把持部の先端
１５２  フック部
１５２ａ  フック部の根元
１５３  フック部の先端
Ａ１，Ａ２  鉄筋
ＡＸ  回転軸
ＡＸ１，ＡＸ２  軸
Ｂ  結束線
Ｃ  電動ドライバ本体
ＣＲ  交差部
Ｄ１，Ｄ２  方向
【図１】
2012077532.tif 000003
【図２】
2012077532.tif 000004
【図３】
2012077532.tif 000005
【図４】
2012077532.tif 000006
【図５】
2012077532.tif 000007
【図６】
2012077532.tif 000008
【図７】
2012077532.tif 000009
【図８】
2012077532.tif 000010